(57)【要約】      （修正有）【課題】本体の上部を覆うオーバーカップの安定性を確保するとともに、安全スイッチをＯＮ／ＯＦＦ操作するスイッチ操作体の操作性の向上を図る。【解決手段】透明容器蓋１９を覆うように前記本体１に対して着脱自在とされたオーバーカップ３とを備えた電動ミキサーにおいて、前記オーバーカップ３内に、駆動モータ５をＯＮ／ＯＦＦするスイッチ装置１０を操作するスイッチ操作体２５を上下動自在に配設するとともに、該スイッチ操作体２５を、前記オーバーカップ３の天面３ａの一部で構成され、該天面３ａの中心付近を軸として端面付近で回動する操作部２６と、該操作部２６における回動部分に連結され且つ前記オーバーカップ３の内側面に沿って上下動するレバー部材２７とにより構成して、該操作部２６を回動操作させることにより、スイッチ操作体２５を介してスイッチ装置１０がＯＮ／ＯＦＦ操作されるようにしている。【選択図】図１
2010269009.tif 000002
【特許請求の範囲】
【請求項１】
駆動モータを内装し、該駆動モータにより回転駆動される出力コネクタを上向きに突設した本体と、前記出力コネクタと噛合する受動コネクタが下方に突設され、該受動コネクタと連結された回転刃を有する破砕体と、該破砕体に対して被冠装着される透明容器蓋と、該透明容器蓋を覆うように前記本体に対して着脱自在とされたオーバーカップとを備えた電動ミキサーであって、前記オーバーカップ内には、前記駆動モータをＯＮ／ＯＦＦするスイッチ装置を操作するスイッチ操作体を上下動自在に配設するとともに、該スイッチ操作体を、前記オーバーカップの天面の一部で構成され且つ該天面の中心付近を軸として端面付近で回動する構成とされた操作部と、該操作部における回動部分に連結され且つ前記オーバーカップの内側面に沿って上下動するレバー部材とにより構成したことを特徴とする電動ミキサー。
【請求項２】
前記スイッチ操作体を、上方向へ付勢したことを特徴とする請求項１記載の電動ミキサー。
【発明の詳細な説明】
【技術分野】
【０００１】
本願発明は、電動ミキサーに関し、さらに詳しくは電動ミキサーにおけるスイッチの構造に関するものである。
【背景技術】
【０００２】
例えば、現行の電動ミキサーは、ミキサー本体の容器を覆ったオーバーカップを押さえて電源を入れる構造となっていた（特許文献１参照）。
【０００３】
上記構造の電動ミキサーの場合、不使用状態（即ち、オーバーカップを押さえていない状態）では、オーバーカップがミキサー本体から浮き上がった状態となり、ミキサー本体との間に大きな隙間があるように感じられ、見た目が良くないという問題がある。また、収納時にオーバーカップがガタ付いて横揺れしていまうという問題もあった。
【０００４】
上記問題に対処するために、ミキサー本体に設けられたスイッチをＯＮ操作するためのスイッチ操作体をオーバーカップとは別体の操作レバーにより操作できるようにしたものが既に提案されている（特許文献２参照）。
【先行技術文献】
【特許文献】
【０００５】
【特許文献１】特開２００５−１７７１２６号公報
【特許文献２】実開平６−６６５３３号公報
【発明の概要】
【発明が解決しようとする課題】
【０００６】
上記特許文献２に開示されている電動ミキサーの場合、操作レバーの一端側には、カッターで切削された材料からジュース分を採取する濾過体が連結されており、操作レバーによる濾過体の非挿入時にスイッチがＯＮ操作されるように構成されている。従って、操作レバーの動作は、スイッチ操作体を作動させるだけでなく、濾過体を昇降作動させることとなるところから、操作レバーの構造が複雑化するとともに、操作レバーによるスイッチ操作体の作動も円滑に行えない場合が生ずるおそれがある。
【０００７】
本願発明は、上記の点に鑑みてなされたもので、本体の上部を覆うオーバーカップの安定性を確保するとともに、安全スイッチをＯＮ／ＯＦＦ操作するスイッチ操作体の操作性の向上を図ることを目的としている。
【課題を解決するための手段】
【０００８】
本願発明では、上記課題を解決するための第１の手段として、駆動モータを内装し、該駆動モータにより回転駆動される出力コネクタを上向きに突設した本体と、前記出力コネクタと噛合する受動コネクタが下方に突設され、該受動コネクタと連結された回転刃を有する破砕体と、該破砕体に対して被冠装着される透明容器蓋と、該透明容器蓋を覆うように前記本体に対して着脱自在とされたオーバーカップとを備えた電動ミキサーにおいて、前記オーバーカップ内に、前記駆動モータをＯＮ／ＯＦＦするスイッチ装置を操作するスイッチ操作体を上下動自在に配設するとともに、該スイッチ操作体を、前記オーバーカップの天面の一部で構成され且つ該天面の中心付近を軸として端面付近で回動する構成とされた操作部と、該操作部における回動部分に連結され且つ前記オーバーカップの内側面に沿って上下動するレバー部材とにより構成している。
【０００９】
上記のように構成したことにより、オーバーカップの天面の一部で構成された操作部を回動操作させることにより、スイッチ操作体を介してスイッチ装置がＯＮ／ＯＦＦ操作されることとなっているので、従来技術におけるようにオーバーカップがガタ付くということがなくなり、オーバーカップの安定性が向上することとなる。また、オーバーカップの天面の一部で構成された操作部の回動操作に伴って、オーバーカップの内側面に沿って上下動するレバー部材によってスイッチ装置がＯＮ／ＯＦＦ操作されることとなり、スイッチ装置の操作性が向上することとなる。
【００１０】
本願発明では、さらに、上記課題を解決するための第２の手段として、上記第１の手段を備えた電動ミキサーにおいて、前記スイッチ操作体を、上方向へ付勢することもでき、そのように構成した場合、オーバーカップ自身が上に付勢されることがなくなるところから、オーバーカップのガタ付きをなくすことができる。
【発明の効果】
【００１１】
本願発明の第１の手段によれば、駆動モータを内装し、該駆動モータにより回転駆動される出力コネクタを上向きに突設した本体と、前記出力コネクタと噛合する受動コネクタが下方に突設され、該受動コネクタと連結された回転刃を有する破砕体と、該破砕体に対して被冠装着される透明容器蓋と、該透明容器蓋を覆うように前記本体に対して着脱自在とされたオーバーカップとを備えた電動ミキサーにおいて、前記オーバーカップ内に、前記駆動モータをＯＮ／ＯＦＦするスイッチ装置を操作するスイッチ操作体を上下動自在に配設するとともに、該スイッチ操作体を、前記オーバーカップの天面の一部で構成され且つ該天面の中心付近を軸として端面付近で回動する構成とされた操作部と、該操作部における回動部分に連結され且つ前記オーバーカップの内側面に沿って上下動するレバー部材とにより構成して、オーバーカップの天面の一部で構成された操作部を回動操作させることにより、スイッチ操作体を介してスイッチ装置がＯＮ／ＯＦＦ操作されるようにしたので、従来技術におけるようにオーバーカップがガタ付くということがなくなり、オーバーカップの安定性が向上するという効果がある。また、オーバーカップの天面の一部で構成された操作部の回動操作に伴って、オーバーカップの内側面に沿って上下動するレバー部材によってスイッチ装置がＯＮ／ＯＦＦ操作されることとなり、スイッチ装置の操作性が向上するという効果もある。
【００１２】
本願発明の第２の手段におけるように、上記第１の手段を備えた電動ミキサーにおいて、前記スイッチ操作体を、上方向へ付勢することもでき、そのように構成した場合、オーバーカップ自身が上に付勢されることがなくなるところから、オーバーカップのガタ付きをなくすことができる。
【図面の簡単な説明】
【００１３】
【図１】本願発明の実施の形態にかかる電動ミキサーの縦断面図である。
【図２】本願発明の実施の形態にかかる電動ミキサーにおけるオーバーカップ部分の拡大縦断面図である。
【図３】本願発明の実施の形態にかかる電動ミキサーにおけるオーバーカップの要部拡大断面図である。
【図４】本願発明の実施の形態にかかる電動ミキサーにおけるスイッチ操作体の要部拡大正面図である。
【図５】本願発明の実施の形態にかかる電動ミキサーにおけるスイッチ操作体とスイッチ装置との関係を示す拡大断面図である。
【図６】本願発明の実施の形態にかかる電動ミキサーにおける本体底部と支持台との関係を示す拡大側面図である。
【図７】本願発明の実施の形態にかかる電動ミキサーにおける本体底部を下方から見た拡大斜視図である。
【図８】本願発明の実施の形態にかかる電動ミキサーにおける本体の拡大底面図である。
【図９】本願発明の実施の形態にかかる電動ミキサーの下部側面図である。
【発明を実施するための形態】
【００１４】
以下、添付の図面を参照して、本願発明の実施の形態について説明する。
【００１５】
この電動ミキサーは、図１に示すように、本体１と、破砕体２と、オーバーカップ３とで構成されている。
【００１６】
前記本体１は、所定のケース４内に駆動モータ５を内装し、上部に前記破砕体２の収納空間６を備えて構成されており、前記収納空間６内には、出力コネクタ７が設けられている。前記本体１内には、前記駆動モータ５の電源のＯＮ／ＯＦＦをなすマイクロスイッチ８と該マイクロスイッチ８を動作させる操作杆９とからなるスイッチ装置１０が配設されている。該スイッチ装置１０における操作杆９は、前記ケース４の内周面に沿って上下動自在に配設されている。
【００１７】
前記駆動モータ５は、前記スイッチ装置１０のマイクロスイッチ８を介して電源コード１１（後述する）に接続されており、その出力軸（回転軸）１２の上端には、出力コネクタ７が軸装されている。この出力コネクタ７は、上面が嵌合用山形形状に形成されており、前記収納空間６の中央底部において上向きに突設されている。
【００１８】
前記破砕体２は、上部に位置する容器部１４と、下部に位置する軸受収納部１５と、回転軸部１６と、受動コネクタ１７と、回転刃１８と、透明容器蓋１９とを備えて構成されている。
【００１９】
前記容器部１４は、前記収納空間６の周壁に形成された段部２０に対して上方から嵌合される容器形状とされ、内周面には、前記透明容器蓋１９の下端部外周に形成された雄ネジ２１が螺合する雌ネジ２２が形成されている。また、容器部１４の底面中央には、前記回転軸部１６の軸孔が穿設されている。
【００２０】
前記軸受収納部１５は、前記容器部１４の下方にネジなどで装着されるものであり、中央部分には、上部が開口され且つ底面に前記回転軸部１６の下端部が嵌合する軸孔を穿設した筒状の軸受部分２３が設けられている。
【００２１】
前記透明容器蓋１９は、その下端部外周に形成された雄ネジ２１を前記容器部１４の内周面に形成された雌ネジ２２に螺合させることにより、回転刃１８により破砕される食品が周囲に飛び散るのを防止する機能を有しており、その内周面には、周方向等間隔で上下方向の凸条２４が形成されている。該凸条２４は、透明容器蓋１９内に収納された食品の回転を防止する機能を有している。
【００２２】
そして、前記回転軸部１６を前記軸受収納部１５の軸受部分２３に収納し、軸受収納部１５を容器部１４にネジ止めなどの手段で連結する。さらに、軸受収納部１５の下方に突出した回転軸部１６に、駆動モータ５側の出力コネクタ１３と噛み合う形状の受動コネクタ１７を装着し、容器部１４の底面に突出した回転軸部１６に回転刃１８を装着し、容器部１４内に破砕すべき食品を収納した後、透明容器蓋１９を螺着すると、破砕体２が組み上げられることとなっている。
【００２３】
前記オーバーカップ３は、内部が透視できるように透明な材料からなっており、その内部には、前記駆動モータ５をＯＮ／ＯＦＦするスイッチ装置１０を操作するスイッチ操作体２５が上下動自在に配設されている。該スイッチ操作体２５は、図２に示すように、前記オーバーカップ３の天面３ａの一部で構成され且つ該天面３ａの中心付近を軸として端面付近で回動する構成とされた操作部２６と、該操作部２６における回動部分に連結され且つ前記オーバーカップ３の内側面に沿って上下動するレバー部材２７とにより構成されている。前記操作部２６は、スプリング２８によって上方に付勢されており、その一端側（即ち、回動部分）に形成された係合穴２９には、前記レバー部材２７の上端に一体に形成された係合突片３０が係合されている（図３および図４参照）。つまり、操作部２６の端面付近をスプリング２８の付勢力に抗して矢印Ｐで示す方向に押圧すると、レバー部材２７が下向きに押し下げられることとなっているのである。符号１３はレバー部材２７をガイドするガイド溝である。
【００２４】
前記レバー部材２７の下端は、図１に示すように、前記本体１の上面において前記スイッチ装置１０における操作杆９の上端と対向せしめられている。なお、操作杆９の上端とレバー部材２７の下端との間には、操作杆９を伝わって本体１の内部へ水が侵入するのを防止するシールパッキン３１が介設されている（図５参照）。該シールパッキン３１は、本体１の上面に操作杆９を嵌挿すべく形成された開口３２に口縁に対して目隠しリング３３によって圧着されている。
【００２５】
また、本実施の形態においては、本体１は、該本体１と略同形とされた支持台３４上に支持されており、本体１の底部には、電源コード１１（図９参照）を巻き取るためのコード巻き取り装置３５が設けられている。該コード巻き取り装置３５は、図６〜図８に示すように、本体１の底面に突設され且つ前記支持台３４に当接される円弧体３６により構成されており、該円弧体３６の開放端３６ａ，３６ａは中心方向に平行に延設されている。この円弧体３６は、電源コード１１を巻き取り得る余裕を確保できるように本体１の外径より相当小径とされている。このようにすると、本体１の外形形状が、前方側（即ち、スイッチ装置１０が配設されている側）が飛び出した卵型となっているところから、本体１と支持台３４との当接部位が小径となり、不安定となり易い。そこで、本実施の形態においては、円弧体３６には、スイッチ装置１０が配設されている側に所定間隔で複数のリブ３７，３７・・が一体に突設されている。つまり、円弧体３６とリブ３７，３７・・とによってコード巻き取り装置３５が構成されることとなっているのである。このようにすると、コード巻き取り装置３５と支持台３４との当接面積が大きくなり、本体１の安定性が増大する。なお、本体１の外周とリブ３７，３７・・の先端との距離をＤ1、本体１の外周と円弧体３６の外周との距離をＤ2としたとき、Ｄ1＝Ｄ2となるようにするのが望ましい。このようにすると、コード巻き取り装置３５に電源コード１１を巻き取るときの巻き取りに要するスペースがコード巻き取り装置３５の外周側においてほぼ均等となるところから、電源コード１１の巻き取り作業を容易に行い得ることとなる。
【００２６】
ところで、電源コード１１は、図９に示すように、本体１と支持台３４との間に設けられたコード巻き取り装置３５に巻き取られることとなっているが、本体１の下面と支持台３４の上面との間隔Ａ（換言すれば、コード巻き取り装置３５の幅）は、電源コード１１におけるコードブッシュ１１ａの厚さｈ1とほぼ等しくされている。なお、前記間隔Ａは電源コード１１のコンセント部１１ｂの厚さｈ2より狭くされている。このようにすると、電源コード１１のコードブッシュ１１ａを、本体１の下面と支持台３４の上面との間隔Ａに挟み込むことが可能となり、巻き取ったコードを容易に固定することが可能となり、収納時に電源コード１１がほどけてしまうということがなくなる。
【００２７】
図面中、符号３８は破砕すべき食品の内容量が多い時のように駆動モータ５に流れる電流値が大きくなった場合にスイッチ装置１０をＯＦＦ作動させるように動作するリセットスイッチ、３９は冷却風の取り入れ口である。
【００２８】
上記のように構成された電動ミキサーを用いて食品を破砕する手順について説明する。
【００２９】
破砕対象となる食品は、少量の場合には破砕体２の容器部１４に収納して透明容器蓋１９を螺合装着することができ、また多めの食品の場合には、逆さにした透明容器蓋１９内に入れ、その後破砕体２に螺合装着して、食品を一体化した破砕体２と透明容器蓋１９の内方に収納する。ついで、オーバーカップ３を本体１に対して装着し、オーバーカップ３の天面３ａの一部を構成する操作部２６をスプリング２８の付勢力に抗して矢印Ｐで示す方向に押圧する。すると、操作部２６の回動部位に連結されたレバー部材２７が下方に移動し、スイッチ装置１０のマイクロスイッチ８がＯＮ操作され、駆動モータ５に通電されて、回転刃１８を回転駆動し、収納食品の破砕が行われる。
【００３０】
そして、十分な食品破砕が行われると、操作部２６への加圧力を解除すると、操作部２６はスプリング２８の付勢力によって上動し、レバー部材２７が引き上げられ、スイッチ装置１０のマイクロスイッチ８がＯＦＦ操作され、駆動モータ５が停止する。
【００３１】
そこで、オーバーカップ３を取り外した後、透明容器蓋１９を螺脱すると、破砕食品が容器部１４内に収まっており、後はこの破砕食品を適宜な食器に移し変えたり、直接調理に供するようにするものである。
【００３２】
本願発明は、上記実施の形態に限定されるものではなく、発明の要旨を逸脱しない範囲において適宜設計変更可能なことは勿論である。
【符号の説明】
【００３３】
１は本体
２は破砕体
３はオーバーカップ
３ａは天面
５は駆動モータ
７は出力コネクタ
１０はスイッチ装置
１７は受動コネクタ
１８は回転刃
１９は透明容器蓋
２５はスイッチ操作体
２６は操作部
２７はレバー部材
２８はスプリング
【図１】
2010269009.tif 000003
【図２】
2010269009.tif 000004
【図３】
2010269009.tif 000005
【図４】
2010269009.tif 000006
【図５】
2010269009.tif 000007
【図６】
2010269009.tif 000008
【図７】
2010269009.tif 000009
【図８】
2010269009.tif 000010
【図９】
2010269009.tif 000011